(57)【要約】【課題】調湿能力を確保しながらケーシングの小型化を図ることができるデシカント調湿器を提供する点にある。【解決手段】吸湿側通路Ｓ１を通流する吸湿対象空気から吸着した水分を、放湿側通路Ｓ２を通流する放湿度対象空気に放出する調湿体Ｈが、吸湿側通路Ｓ１と放湿側通路Ｓ２との並び方向に沿う往復スライド移動により、吸湿側通路Ｓ１に位置する状態と放湿側通路Ｓ２に位置する状態とに切換え自在な３枚以上の矩形板状の調湿体部分Ｈａを、空気通流方向に並べた形態で備えるように構成され、３枚以上の調湿体部分Ｈａのうちの、一枚の調湿体部分Ｈａを吸湿側通路Ｓ１に位置させ、他の一枚の調湿体部分Ｈａを放湿側通路Ｓ２に位置させるときに、残りの調湿体部分Ｈａを吸湿側通路Ｓ１位置する状態と放湿側通路Ｓ２に位置する状態との間でスライド移動させるスライド駆動部Ｇが設けられている。【選択図】図２
2016186412.tif 000002
【特許請求の範囲】
【請求項１】
吸湿対象空気を通流させる吸湿側通路と放湿対象空気を通流させる放湿側通路とが、平行状に並ぶ状態で、かつ、前記吸湿対象空気及び前記放湿対象空気が通流する空気通流方向視において矩形状に形成されたケーシングの内部に収納される状態で設けられ、
前記吸湿側通路を通流する前記吸湿対象空気から吸着した水分を、前記放湿側通路を通流する前記放湿対象空気に放出する調湿体が、前記ケーシングの内部に設けられたデシカント調湿器であって、
前記調湿体が、前記吸湿側通路と前記放湿側通路との並び方向に沿う往復スライド移動により、前記吸湿側通路に位置する状態と前記放湿側通路に位置する状態とに切換え自在な３枚以上の矩形板状の調湿体部分を、厚さ方向が前記吸湿対象空気及び前記放湿対象空気が通流する空気通流方向となる姿勢で、前記空気通流方向に並べた形態で備えるように構成され、
３枚以上の前記調湿体部分のうちの、一枚の調湿体部分を前記吸湿側通路に位置させ、かつ、他の一枚の調湿体部分を前記放湿側通路に位置させるときに、残りの調湿体部分を前記吸湿側通路に位置する状態と前記放湿側通路に位置する状態との間でスライド移動させる形態で、各調湿体部分を前記吸湿側通路に位置する状態と前記放湿側通路に位置する状態とに交互に切換えるようにスライド移動させるスライド駆動部が設けられているデシカント調湿器。
【請求項２】
前記スライド駆動部が、噛合突部を周方向の一部の範囲に備える形態に形成されかつ一方向に向けて駆動回転される回転体と、当該回転体の前記噛合突部との咬合により、往動させるための往動用ラック部及び復動させるための復動用ラック部を対向配置したラック体とからなり、前記回転体を前記ケーシング側に支持させ、かつ、前記ラック体を前記調湿体部分に装着した二重ラック欠歯車往復運動機構にて、前記調湿体部分を往復駆動するように構成されている請求項１記載のデシカント調湿器。
【請求項３】
前記スライド駆動部が、前記調湿体部分の夫々について各別に設けた流体圧シリンダにて前記調湿体部分を往復駆動するように構成されている請求項１記載のデシカント調湿器。
【請求項４】
前記調湿体部分が、４枚設けられ、
前記スライド駆動部が、４枚の前記調湿体部分のうちの、一枚の調湿体部分を前記吸湿側通路に位置させ、かつ、他の一枚の調湿体部分を前記放湿側通路に位置させるときに、残り２枚の調湿体部分の一方を前記吸湿側通路に位置する状態から前記放湿側通路に位置する状態にスライド移動させ、かつ、他方を前記放湿側通路に位置する状態から前記吸湿側通路に位置する状態にスライド移動させる形態で、各調湿体部分を前記吸湿側通路に位置する状態と前記放湿側通路に位置する状態とに交互に切換えるように構成されている請求項１〜３のいずれか１項に記載のデシカント調湿器。
【発明の詳細な説明】
【技術分野】
【０００１】
本発明は、吸湿対象空気を通流させる吸湿側通路と放湿対象空気を通流させる放湿側通路とが、平行状に並ぶ状態で、かつ、前記吸湿対象空気及び前記放湿対象空気が通流する空気通流方向視において矩形状に形成されたケーシングの内部に収納される状態で設けられ、
前記吸湿側通路を通流する前記吸湿対象空気から吸着した水分を、前記放湿側通路を通流する放湿対象空気に放出する調湿体が、前記ケーシングの内部に設けられたデシカント調湿器に関する。
【背景技術】
【０００２】
かかるデシカント調湿器は、例えば、屋外から屋内に取り入れる外気を、吸湿対象空気とし、屋内から屋外に排出する屋内気を放湿対象空気として、屋内に取り入れる外気を除湿する場合や、屋内から屋外に排出する屋内気を、吸湿対象空気とし、屋外から屋内に取り入れる外気を、放湿対象空気として、屋内に取り入れる外気を加湿する場合に使用されることになる。
【０００３】
ちなみに、屋内に取り入れる外気を除湿する場合には、一般に、屋内から屋外に排出する屋内気を昇温させる加熱器を設けて、放湿対象空気としての屋内気を加熱することになり、また、屋内に取り入れる外気を加湿する場合には、一般に、屋外から屋内に取り入れる外気を昇温させる加熱器を設けて、放湿対象空気としての外気を加熱することになる。
【０００４】
このようなデシカント調湿器においては、従来では、調湿体が、円盤状で、かつ、吸湿対象空気及び放湿対象空気が通流する空気通流方向に沿う回転軸心回りで回転駆動される、いわゆる調湿ロータとして構成されていた（例えば、特許文献１参照。）。
【先行技術文献】
【特許文献】
【０００５】
【特許文献１】特許第４９１８４６８号公報
【発明の概要】
【発明が解決しようとする課題】
【０００６】
デシカント調湿器においては、吸湿対象空気や放湿対象空気が通流する空気通流方向視において矩形状に形成されるケーシングの内部に、調湿体を収納することになるが、デシカント調湿器の小型化のために、空気通流方向視におけるケーシングの大きさを小さくすることが望まれる。
【０００７】
しかしながら、従来のデシカント調湿器においては、調湿体が、回転駆動される円盤状の調湿ロータとして構成されているため、調湿能力を確保しながらケーシングの小型を図ることができないものであった。
【０００８】
すなわち、調湿体が、回転駆動される円盤状の調湿ロータとして構成される場合においては、調湿体が、回転軸心を吸湿対象空気や放湿対象空気が通流する空気通流方向に沿わせた状態で、空気通流方向視において矩形状に形成されたケーシングの内部に収納することになる。
【０００９】
そして、円盤状の調湿体をケーシングの内部に収納した状態は、空気通流方向視において、ケーシングの４角に対応する部分に、調湿体が存在しない調湿体非存在部分が存在することになり、その調湿体非存在部分は調湿（除湿又は加湿）には寄与しないにものであるから、そのような調湿体非存在部分の存在に起因して、調湿能力を確保しながらケーシングの小型を図ること、換言すれば、所定の調湿能力を確保しながら、空気通流方向視におけるケーシングの小型化を図ることができないものであった。
【００１０】
本発明は、上記実状に鑑みて為されたものであって、その目的は、調湿能力を確保しながらケーシングの小型化を図ることができるデシカント調湿器を提供する点にある。
【課題を解決するための手段】
【００１１】
本発明のデシカント調湿器は、吸湿対象空気を通流させる吸湿側通路と放湿対象空気を通流させる放湿側通路とが、平行状に並ぶ状態で、かつ、前記吸湿対象空気及び前記放湿対象空気が通流する空気通流方向視において矩形状に形成されたケーシングの内部に収納される状態で設けられ、
前記吸湿側通路を通流する前記吸湿対象空気から吸着した水分を、前記放湿側通路を通流する前記放湿対象空気に放出する調湿体が設けられたものであって、その特徴構成は、
前記調湿体が、前記吸湿側通路と前記放湿側通路との並び方向に沿う往復スライド移動により、前記吸湿側通路に位置する状態と前記放湿側通路に位置する状態とに切換え自在な３枚以上の矩形板状の調湿体部分を、厚さ方向が前記吸湿対象空気及び前記放湿対象空気が通流する空気通流方向となる姿勢で、前記空気通流方向に並べた形態で備えるように構成され、
３枚以上の前記調湿体部分のうちの、一枚の調湿体部分を前記吸湿側通路に位置させ、かつ、他の一枚の調湿体部分を前記放湿側通路に位置させるときに、残りの調湿体部分を前記吸湿側通路に位置する状態と前記放湿側通路に位置する状態との間でスライド移動させる形態で、各調湿体部分を前記吸湿側通路に位置する状態と前記放湿側通路に位置する状態とに交互に切換えるようにスライド移動させるスライド駆動部が設けられている点にある。
【００１２】
すなわち、調湿体が、吸湿側通路と放湿側通路との並び方向に沿う往復スライド移動により、吸湿側通路に位置する状態と放湿側通路に位置する状態とに切換え自在な３枚以上の矩形板状の調湿体部分を、厚さ方向が吸湿対象空気及び放湿対象空気が通流する空気通流方向となる姿勢で、空気通流方向に並べた形態で備えている。
【００１３】
そして、スライド駆動部によって、３枚以上の調湿体部分を吸湿側通路と放湿側通路との並び方向に沿ってスライド駆動することにより、吸湿側通路を通流する吸湿対象空気から吸着した水分を、放湿側通路を通流する放湿対象空気に放出させるようにする。
【００１４】
つまり、３枚以上の調湿体部分のうちの、一枚の調湿体部分を吸湿側通路に位置させ、かつ、他の一枚の調湿体部分を放湿側通路に位置させるときに、残りの調湿体部分を吸湿側通路に位置する状態と放湿側通路に位置する状態との間でスライド移動させる形態で、各調湿体部分を吸湿側通路に位置する状態と放湿側通路に位置する状態とに交互に切換えるようにスライド移動させることになる。
【００１５】
３枚以上の調湿体部分のうちの、一枚の調湿体部分を吸湿側通路に位置させ、かつ、他の一枚の調湿体部分を放湿側通路に位置させる状態は、吸湿側通路を通流する吸湿対象空気が、吸湿側通路に位置する調湿体部分を通して流動し、かつ、放湿側通路を通流する放湿対象空気が、放湿側通路に位置する調湿体部分を通して流動する状態であるから、吸湿側通路を通流する吸湿対象空気から水分を吸着することや、吸湿側通路を通流する吸湿対象空気から吸着した水分を、放湿側通路を通流する放湿対象空気に放出させることを適正通り行わせることができる。
【００１６】
また、一枚の調湿体部分を吸湿側通路に位置させ、かつ、他の一枚の調湿体部分を放湿側通路に位置させるときに、残りの調湿体部分を吸湿側通路に位置する状態と放湿側通路に位置する状態との間でスライド移動させるものであるから、調湿体部分を吸湿側通路に位置する状態と放湿側通路に位置する状態との間でスライド移動させる際に、吸湿側通路を通流する吸湿対象空気が、調湿体部分を通流することなく短絡流動することや、放湿側通路を通流する放湿対象空気が、調湿体部分を通流することなく短絡流動することを回避させることができる。
【００１７】
そして、３枚以上の矩形板状の調湿体部分を、吸湿対象空気及び放湿対象空気が通流する空気通流方向視において矩形状に形成されたケーシングの内部に、厚さ方向が空気通流方向となる姿勢で収納するものであるから、空気通流方向視において、ケーシングの内部の４角にも調湿体を存在させて、空気通流方向視において、ケーシングの内部の全体を除湿に寄与する空間として利用することができるため、調湿能力を確保しながらケーシングの小型化を図ることができる。
【００１８】
つまり、空気通流方向視において、ケーシングの内部の全体に亘る状態で調湿体を収納させて、空気通流方向視において、ケーシングの内部の全体を調湿用の空間として利用することができるため、所定の調湿能力を確保しながら、空気通流方向視におけるケーシングの小型化を図ることが可能となる。
【００１９】
要するに、本発明のデシカント調湿器によれば、調湿能力を確保しながらケーシングの小型化を図ることができる。
【００２０】
また、本発明のデシカント調湿器の更なる特徴構成は、前記スライド駆動部が、噛合突部を周方向の一部の範囲に備える形態に形成されかつ一方向に向けて駆動回転される回転体と、当該回転体の前記噛合突部との咬合により、往動させるための往動用ラック部及び復動させるための復動用ラック部を対向配置したラック体とからなり、前記回転体を前記ケーシング側に支持させ、かつ、前記ラック体を前記調湿体部分に装着した二重ラック欠歯車往復運動機構にて、前記調湿体部分を往復駆動するように構成されている点にある。
【００２１】
すなわち、調湿体部分を、二重ラック欠歯車往復運動機構にて往復駆動するものであるから、調湿体部分を吸湿側通路に位置する状態と放湿側通路に位置する状態とに交互に切換えるようにスライド移動させるスライド駆動構成の簡素化を図ることができる。
【００２２】
つまり、二重ラック欠歯車往復運動機構は、噛合突部を周方向の一部の範囲に備える形態に形成された回転体を、一方向に向けて駆動回転させることを継続させながら、回転体の噛合突部が、ラック体の往動用ラック部に咬合すると、調湿体部分を往動させ、かつ、回転体の噛合突部が、ラック体の復動用ラック部に咬合すると、調湿体部分を復動させる形態で、調湿体部分を吸湿側通路に位置する状態と放湿側通路に位置する状態とに交互に切換えるようにスライド移動させることになる。
【００２３】
このように、二重ラック欠歯車往復運動機構は、噛合突部を周方向の一部の範囲に備える形態に形成された回転体を、一方向に向けて駆動回転させることを継続すればよいものであるから、例えば、回転体を電動モータにて駆動する場合において、電動モータの回転方向を正逆に切換えることなく、電動モータを単に一方向に向けて回転させることになるため、電動モータの駆動回路構成が簡素になる等に起因して、調湿体部分をスライド移動させるスライド駆動構成の簡素化を図ることができるのである。
【００２４】
要するに、本発明のデシカント調湿器の更なる特徴構成によれば、調湿体部分をスライド移動させるスライド駆動構成の簡素化を図ることができる。
【００２５】
また、本発明のデシカント調湿器の更なる特徴構成によれば、前記スライド駆動部が、前記調湿体部分の夫々について各別に設けた流体圧シリンダにて前記調湿体部分を往復駆動するように構成されている点にある。
【００２６】
すなわち、調湿体部分を、調湿体部分の夫々について各別に設けた流体圧シリンダにて往復駆動するものであるから、調湿体部分の夫々についてのスライド移動を、他の調湿体部分のスライド移動とは切り離して行うことができるため、調湿体部分のスライド移動を適切に行うことができる。
【００２７】
例えば、３枚以上の前記調湿体部分のうちの、一枚の調湿体部分を吸湿側通路に位置させ、かつ、他の一枚の調湿体部分を放湿側通路に位置させるときに、残りの調湿体部分を吸湿側通路に位置する状態と放湿側通路に位置する状態との間でスライド移動させるにあたり、一枚の調湿体部分を吸湿側通路に位置する状態に停止させ、且つ、他の一枚の調湿体部分を放湿側通路に位置する状態に停止させておきながら、残りの調湿体部分を吸湿側通路に位置する状態と放湿側通路に位置する状態との間でスライド移動させるようにすることができる等、調湿体部分のスライド移動を適切に行うことができる。
【００２８】
要するに、本発明のデシカント調湿器の更なる特徴構成によれば、調湿体部分のスライド移動を適切に行うことができる。
【００２９】
また、本発明のデシカント調湿器の更なる特徴構成は、前記調湿体部分が、４枚設けられ、
前記スライド駆動部が、４枚の前記調湿体部分のうちの、一枚の調湿体部分を前記吸湿側通路に位置させ、かつ、他の一枚の調湿体部分を前記放湿側通路に位置させるときに、残り２枚の調湿体部分の一方を前記吸湿側通路に位置する状態から前記放湿側通路に位置する状態にスライド移動させ、かつ、他方を前記放湿側通路に位置する状態から前記吸湿側通路に位置する状態にスライド移動させる形態で、各調湿体部分を前記吸湿側通路に位置する状態と前記放湿側通路に位置する状態とに交互に切換えるように構成されている点にある。
【００３０】
すなわち、調湿体部分が４枚設けられて、４枚の調湿体部分のうちの、一枚の調湿体部分を吸湿側通路に位置させ、かつ、他の一枚の調湿体部分を放湿側通路に位置させるときに、残り２枚の調湿体部分の一方を吸湿側通路に位置する状態から放湿側通路に位置する状態にスライド移動させ、かつ、他方を放湿側通路に位置する状態から吸湿側通路に位置する状態にスライド移動させる形態で、各調湿体部分を吸湿側通路に位置する状態と放湿側通路に位置する状態とに交互に切換えるものであるから、吸湿側通路を通流する前記吸湿対象空気から吸着した水分を、放湿側通路を通流する放湿対象空気に放出すること、つまり、水分移送を効率良く行い易い。
【００３１】
つまり、例えば、調湿体を３枚設けて、一枚の調湿体部分を吸湿側通路に位置させ、かつ、他の一枚の調湿体部分を放湿側通路に位置させるときに、残り１枚の調湿体部分の一方を吸湿側通路に位置する状態から放湿側通路に位置する状態にスライド移動させ、次に、一枚の調湿体部分を吸湿側通路に位置させ、かつ、他の一枚の調湿体部分を放湿側通路に位置させるときに、残り一枚の調湿体部分を放湿側通路に位置する状態から吸湿側通路に位置する状態にスライド移動させることを、繰り返す形態で、各調湿体部分を吸湿側通路に位置する状態と放湿側通路に位置する状態とに交互に切換えることが考えられる。
【００３２】
このように、３枚の調湿体を設ける場合には、各調湿体が、吸湿側通路に位置する状態や放湿側通路に位置する状態が長くなるため、吸湿側通路を通流する前記吸湿対象空気から吸着した水分を、放湿側通路を通流する放湿対象空気に放出すること、つまり、水分移送を効率良く行い難いものとなる。
【００３３】
これに対して、４枚の調湿体を設ける場合には、各調湿体が、吸湿側通路に位置する状態や放湿側通路に位置する状態を短くしながら、吸湿側通路を通流する吸湿対象空気から吸着した水分を、放湿側通路を通流する放湿対象空気に放出すること、つまり、水分移送を効率良く行いものとなる。
【００３４】
要するに、本発明のデシカント調湿器の更なる特徴構成によれば、水分移送を効率良く行うことができる。
【図面の簡単な説明】
【００３５】
【図１】第１実施形態のデシカント調湿器の一部切欠斜視図
【図２】第１実施形態のデシカント調湿器の縦断側面図
【図３】図２におけるＩＩＩ−ＩＩＩ線断面図
【図４】調湿体部分のスライド移動形態を示す概略正面図
【図５】４枚の調湿体部分の時間経過に伴うスライド移動位置を示す図
【図６】第２実施形態のデシカント調湿器の一部切欠斜視図
【図７】第２実施形態のデシカント調湿器の縦断側面図
【図８】図７におけるＶＩＩＩ−ＶＩＩＩ線断面図
【図９】調湿体部分のスライド移動形態を示す概略正面図
【図１０】４枚の調湿体部分の時間経過に伴うスライド移動位置を示す図
【発明を実施するための形態】
【００３６】
〔第１実施形態〕
以下、本発明の第１実施形態を図面に基づいて説明する。
（デシカント調湿器の全体構成）
図２に示すように、本実施形態のデシカント調湿器は、屋外から屋内に取り入れる屋外気ＯＡを、吸湿対象空気とし、屋内から屋外に排出する屋内気ＲＡを、放湿対象空気として、屋外から屋内に取り入れる屋外気ＯＡを除湿するように構成されている。
【００３７】
すなわち、屋外から屋内に取り入れる屋外気ＯＡを通流させる直線状の吸湿側通路Ｓ１と、屋内から屋外に排出する屋内気ＲＡを通流させる直線状の放湿側通路Ｓ２とが、平行状に並ぶ状態で設けられている。
本実施形態においては、吸湿側通路Ｓ１と放湿側通路Ｓ２とが、吸湿側通路Ｓ１を下方側に位置させる状態で、上下に並置されている。
【００３８】
屋外気ＯＡ及び屋内気ＲＡが通流する空気通流方向視において矩形状に形成されたケーシングＫが設けられ（図３参照）、ケーシングＫの内部に、吸湿側通路Ｓ１と放湿側通路Ｓ２とが収納されている。
本実施形態においては、ケーシングＫの内部を上下に仕切る仕切壁１が設けられ、そして、放湿側通路Ｓ２が、ケーシングＫの上半部と仕切壁１とによって囲まれる形態で形成され、吸湿側通路Ｓ１が、ケーシングＫの上半部と仕切壁１とによって囲まれる形態で形成されている。
【００３９】
吸湿側通路Ｓ１には、屋外気ＯＡを通流させる吸湿側送風ファン２が設けられ、放湿側通路Ｓ２には、屋内気ＲＡを通流させる放湿側送風ファン３が設けられて、屋外から屋内に取り入れた屋外気ＯＡを、吸湿側通路Ｓ１を通して流動させ、屋内から屋外に排出する屋内気ＲＡを、放湿側通路Ｓ２を通して流動させるように構成されている。
ちなみに、本実施形態においては、屋外気ＯＡと屋内気ＲＡとが、対向流状態で流動するように構成されている。
【００４０】
図１及び図２に示すように、ケーシングＫの内部には、吸湿側通路Ｓ１を通流する屋外気ＯＡから吸着した水分を、放湿側通路Ｓ２を通流する屋内気ＲＡに放出する調湿体Ｈが、屋外気ＯＡ及び屋内気ＲＡが通流する空気通流方向において、ケーシングＫの中央部に相当する箇所に設けられている。
尚、調湿体Ｈが装着される箇所においては、上述の仕切壁１が切除されている。
【００４１】
図２に示すように、吸湿側通路Ｓ１には、屋外気ＯＡの流動方向において調湿体Ｈの上手側に相当する箇所に位置させる状態で、屋外気ＯＡを予冷する予冷用冷却部４が設けられている。
また、放湿側通路Ｓ２には、屋内気ＲＡの流動方向において調湿体Ｈの上手側に相当する箇所に位置させる状態で、屋内気ＲＡを加熱する加熱部５が設けられている。
【００４２】
したがって、本実施形態のデシカント調湿器は、吸湿側通路Ｓ１に導入された屋外気ＯＡを、予冷用冷却部４にて冷却したのちに、屋外気ＯＡに含まれる水分を調湿体Ｈにて吸着して、乾燥空気ＳＡとして屋内に供給し、放湿側通路Ｓ２に導入された屋内気ＲＡを、加熱部５にて加熱したのちに、調湿体Ｈが吸着している水分を屋外気ＯＡに放出して、湿潤空気ＥＡとして屋外に排出されるように構成されている。
【００４３】
ちなみに、予冷用冷却部４としては、例えば、ヒートポンプにて生成された冷水にて冷却する構成を用いることができ、また、加熱部５としては、例えば、給湯器の温水等の各種の温水にて加熱する構成や電気ヒータにて加熱する構成等を用いることができる。
【００４４】
（調湿体の詳細）
図１及び図２に示すように、調湿体Ｈが、吸湿側通路Ｓ１と放湿側通路Ｓ２との並び方向に沿う往復スライド移動により、吸湿側通路Ｓ１に位置する状態と放湿側通路Ｓ２に位置する状態とに切換え自在な４枚の矩形板状の調湿体部分Ｈａを、厚さ方向が屋外気ＯＡ及び屋内気ＲＡが通流する空気通流方向となる姿勢で、空気通流方向に並べた形態で備えるように構成されている。
【００４５】
調湿体部分Ｈａが吸湿側通路Ｓ１に位置する状態とは、屋外気ＯＡ及び屋内気ＲＡが通流する空気通流方向視において、調湿体部分Ｈａが、吸湿側通路Ｓ１を全面的に閉塞する状態であり、同様に、調湿体部分Ｈａが放湿側通路Ｓ２に位置する状態とは、屋外気ＯＡ及び屋内気ＲＡが通流する空気通流方向視において、調湿体部分Ｈａが、放湿側通路Ｓ２を全面的に閉塞する状態である。
【００４６】
尚、以下の説明において、４枚の調湿体部分Ｈａを区別する必要があるときには、屋外気ＯＡの通流方向に沿って、第１調湿体部分ｈ１、第２調湿体部分ｈ２、第３調湿体部分ｈ３、第４調湿体部分ｈ４と呼称する。
【００４７】
各調湿体部分Ｈａは、屋外気ＯＡ及び屋内気ＲＡが通流する空気通流方向に沿って空気を通流させることができるハニカム構造体として構成することができ、この場合には、吸湿体を、ハニカム構造体に担持させる構成や、ハニカム構造体自身を吸湿体にて作成する構成を採用することができる。
【００４８】
ちなみに、吸湿体としては、シリカゲル、ゼオライト、酸化チタン等の無機吸湿体や、吸水性ポリマーや感温性ポリマーを用いて構成される有機吸湿体を用いることができる。
【００４９】
図２及び図３に示すように、ケーシングＫの左右の側壁Ｋｓには、調湿体部分Ｈａの左右の側縁部が上下動自在に嵌合するガイド枠６が設けられている。
したがって、４枚の調湿体部分Ｈａが、左右の側縁部をガイド枠６にて位置決めされた状態で、上下にスライド移動するように構成されている。
【００５０】
図２及び図３に示すように、ケーシングＫの上壁Ｋｕには、調湿体部分Ｈａが放湿側通路Ｓ２に位置する状態において、調湿体部分Ｈａの上縁部が嵌合する空気漏れ防止用の上側嵌合枠７が設けられ、同様に、ケーシングＫの下壁Ｋｔには、調湿体部分Ｈａが吸湿側通路Ｓ１に位置する状態において、調湿体部分Ｈａの下縁部が嵌合する空気漏れ防止用の下側嵌合枠８が設けられている（図１参照）。
【００５１】
したがって、調湿体部分Ｈａが放湿側通路Ｓ２に位置する状態においては、調湿体部分Ｈａの上縁部が上側嵌合枠７に嵌合することによって、屋内気ＲＡが調湿体部分Ｈａを通過することなく短絡流動することが抑制され、また、調湿体部分Ｈａが吸湿側通路Ｓ１に位置する状態においては、調湿体部分Ｈａの下縁部が下側嵌合枠８に嵌合することによって、屋外気ＯＡが調湿体部分Ｈａを通過することなく短絡流動することが抑制される。
【００５２】
（スライド駆動部について）
図１〜図３に示すように、４枚の調湿体部分Ｈａを吸湿側通路Ｓ１に位置する状態と放湿側通路Ｓ２に位置する状態とに交互に切換えるようにスライド移動させるスライド駆動部Ｇが設けられている。
【００５３】
すなわち、スライド駆動部Ｇは、４枚の調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残りの調湿体部分Ｈａを吸湿側通路Ｓ１に位置する状態と放湿側通路Ｓ２に位置する状態との間でスライド移動させる形態で、各調湿体部分Ｈａを吸湿側通路Ｓ１に位置する状態と放湿側通路Ｓ２に位置する状態とに交互に切換えるようにスライド移動させるように構成されている。
【００５４】
具体的には、スライド駆動部Ｇは、４枚の調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残り２枚の調湿体部分Ｈａの一方を吸湿側通路Ｓ１に位置する状態から放湿側通路Ｓ２に位置する状態にスライド移動させ、かつ、他方を放湿側通路Ｓ２に位置する状態から吸湿側通路Ｓ１に位置する状態にスライド移動させる形態で、各調湿体部分Ｈａを吸湿側通路Ｓ１に位置する状態と放湿側通路Ｓ２に位置する状態とに交互に切換えるように構成されている（図５参照）。
【００５５】
図５は、第１調湿体部分ｈ１、第２調湿体部分ｈ２、第３調湿体部分ｈ３、及び、第４調湿体部分ｈ４について、時間経過に伴うスライド移動位置の変化を示す図である。
そして、図４において、上死点とは、調湿体部分Ｈａが最も上方側にスライド移動した位置を示し、下死点とは、調湿体部分Ｈａが最も下方側にスライド移動した位置を示すものである。
【００５６】
ちなみに、本実施形態においては、スライド駆動部Ｇが、次に述べる如く、二重ラック欠歯車往復運動機構ＧＡを用いて調湿体部分Ｈａを往復駆動するものであるため、各調湿体部分Ｈａは、吸湿側通路Ｓ１に位置する状態や放湿側通路Ｓ２に位置する状態においても、停止することなく、スライド移動を継続することになる。
また、図５おけるＴ１は、図１及び図２で示す４枚の調湿体部分Ｈａの移動タイミングを示すものである。
【００５７】
尚、各調湿体部分Ｈａは、吸湿側通路Ｓ１に位置する状態や放湿側通路Ｓ２に位置する状態において、スライド移動を継続することになるが、調湿体部分Ｈａが放湿側通路Ｓ２に位置する状態においては、調湿体部分Ｈａの上縁部が上側嵌合枠７に嵌合する状態が継続されて、屋内気ＲＡが調湿体部分Ｈａを通過することなく短絡流動することが抑制され、また、調湿体部分Ｈａが吸湿側通路Ｓ１に位置する状態においては、調湿体部分Ｈａの下縁部が下側嵌合枠８に嵌合する状態が継続されることによって、屋外気ＯＡが調湿体部分Ｈａを通過することなく短絡流動することが抑制される。
【００５８】
（二重ラック欠歯車往復運動機構について）
二重ラック欠歯車往復運動機構ＧＡは、図４に示すように、噛合突部９を周方向の一部の範囲に備える形態に形成されかつ一方向に向けて駆動回転される回転体１０と、当該回転体１０の噛合突部９との咬合により、往動させるための往動用ラック部１１Ａ及び復動させるための復動用ラック部１１Ｂを対向配置したラック体１１とを備えるように構成されている。
【００５９】
そして、図１〜図３に示すように、回転体１０がケーシング側に支持され、かつ、ラック体１１が調湿体部分Ｈａに装着されている。
したがって、図４に示すように、回転体１０が一方向に向けて駆動回転されることによって、吸湿側通路Ｓ１に位置する状態と放湿側通路Ｓ２に位置する状態とに亘って、調湿体部分Ｈａを往復駆動するように構成されている。
ちなみに、本実施形態においては、調湿体部分Ｈａを吸湿側通路Ｓ１に位置する状態から放湿側通路Ｓ２に位置する状態にスライド移動させることを、往動と呼称し、調湿体部分Ｈａを放湿側通路Ｓ２に位置する状態から吸湿側通路Ｓ１に位置する状態にスライド移動させることを、復動と呼称する。
【００６０】
また、本実施形態においては、第１調湿体部分ｈ１と第２調湿体部分ｈ２との間に、ひとつの回転体１０を配置し、かつ、第３調湿体部分ｈ３と第４調湿体部分ｈ４との間に、ひとつの回転体１０を配置する形態で、一対の回転体１０が配置されている。
【００６１】
図２に示すように、第１調湿体部分ｈ１と第２調湿体部分ｈ２との間に配置される回転体１０には、第１調湿体部分ｈ１に装着したラック体１１に咬合させる噛合突部９と第２調湿体部分ｈ２に装着したラック体１１に咬合させる噛合突部９とが、表裏両面に分散させた状態でかつ１８０度位相を異ならせた状態で設けられている。
【００６２】
つまり、第１調湿体部分ｈ１と第２調湿体部分ｈ２との間に配置される回転体１０が、第１調湿体部分ｈ１及び第２調湿体部分ｈ２を往復駆動するように構成されている。
【００６３】
また、図２に示すように、第３調湿体部分ｈ３と第４調湿体部分ｈ４との間に配置される回転体１０には、第１調湿体部分ｈ１と第２調湿体部分ｈ２との間に配置される回転体１０と同様に、第３調湿体部分ｈ３に装着したラック体１１に咬合させる噛合突部９と第４調湿体部分ｈ４に装着したラック体１１に咬合させる噛合突部９とが、表裏両面に分散させた状態でかつ１８０度位相を異ならせた状態で設けられている。
【００６４】
つまり、第３調湿体部分ｈ３と第４調湿体部分ｈ４との間に配置される回転体１０が、第３調湿体部分ｈ３及び第４調湿体部分ｈ４を往復駆動するように構成されている。
【００６５】
（回転体の駆動構成）
図２及び図３に示すように、一対の回転体１０を一体回転する状態で支持する駆動軸１２が、ケーシングＫの下壁Ｋｔから立設した一対の支持枠１３にて両端を支持される状態で設けられている。
そして、ケーシングＫの下壁Ｋｔに装着した電動モータ１４と駆動軸１２の端部とが、伝動ベルト１５にて連動連結されて、電動モータ１４にて一対の回転体１０を一方側方向に向けて駆動回転するように構成されている（図１参照）。
【００６６】
ちなみに、駆動軸１２が、４枚の調湿体部分Ｈａを貫通することになるため、図２及び図３に示すように、各調湿体部分Ｈａには、駆動軸１２が挿通するスリット孔１６が、各調湿体部分Ｈａのスライド移動方向（上下方向）に沿って形成されている。
【００６７】
（実施形態のまとめ）
本実施形態のデシカント調湿器は、調湿体Ｈを４枚の矩形板状の調湿体部分Ｈａにて構成するものであって、４枚の調湿体部分Ｈａを、屋外気ＯＡ及び屋内気ＲＡが通流する空気通流方向視において矩形状に形成されたケーシングＫの内部に、厚さ方向が空気通流方向となる姿勢で収納して、吸湿側通路Ｓ１に位置する状態と放湿側通路Ｓ２に位置する状態とに亘って往復駆動するものであるから、図３に示すように、空気通流方向視において、ケーシングＫの内部の４角にも調湿体Ｈを存在させて、空気通流方向視において、ケーシングＫの内部の全体を除湿に寄与する空間として利用することができるため、調湿能力を確保しながらケーシングＫの小型化を図ることができる。
【００６８】
つまり、空気通流方向視において、ケーシングＫの内部の全体に亘る状態で調湿体Ｈを収納させて、空気通流方向視において、ケーシングＫの内部の全体を調湿用の空間として利用することができるため、所定の調湿能力を確保しながら、空気通流方向視におけるケーシングＫの小型化を図ることが可能となる。
【００６９】
また、調湿体部分Ｈａが４枚設けられて、４枚の調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残り２枚の調湿体部分Ｈａの一方を吸湿側通路Ｓ１に位置する状態から放湿側通路Ｓ２に位置する状態にスライド移動させ、かつ、他方を放湿側通路Ｓ２に位置する状態から吸湿側通路Ｓ１に位置する状態にスライド移動させる形態で、各調湿体部分Ｈａを吸湿側通路Ｓ１に位置する状態と放湿側通路Ｓ２に位置する状態とに交互に切換えるものであるから、吸湿側通路Ｓ１を通流する屋外気ＯＡから吸着した水分を、放湿側通路Ｓ２を通流する屋内気ＲＡに放出すること、つまり、水分移送を効率良く行い易い。
【００７０】
また、調湿体部分Ｈａを、二重ラック欠歯車往復運動機構ＧＡにて往復駆動するものであり、二重ラック欠歯車往復運動機構ＧＡは、噛合突部９を備える回転体１０を、一方向に向けて駆動回転させることを継続すればよいものであるから、回転体１０を駆動する電動モータ１４の回転方向を正逆に切換えることなく、電動モータ１４を単に一方側方向に向けて回転させることになるため、電動モータ１４の駆動回路構成が簡素になる等に起因して、調湿体部分Ｈａをスライド移動させるスライド駆動構成の簡素化を図ることができる。
【００７１】
〔第２実施形態〕
次に、第２実施形態を説明するが、この第２実施形態は、スライド駆動部Ｇの別実施形態を示すものであって、その他の構成は第１実施形態と同様であるので、第１実施形態と異なる部分についてのみ説明して、第１実施形態と同様な構成については、第１実施形態と同じ符号を付して、詳細な説明を省略する。
【００７２】
図６〜図８に示すように、スライド駆動部Ｇが、調湿体部分Ｈａの夫々について各別に設けた流体圧シリンダ１７にて調湿体部分Ｈａを往復駆動するように構成されている。
具体的には、一つの調湿体部分Ｈａの左右両側の夫々に、流体圧シリンダ１７が配設されている。
各流体圧シリンダ１７は、シリンダチューブ１７ａがケーシングＫの下壁Ｋｔに連結され、且つ、シリンダロッド１７ｂが調湿体部分Ｈａの上端部に接続される形態で設けられている。
【００７３】
そして、図９に示すように、調湿体部分Ｈａを、流体圧シリンダ１７の伸縮作動により、吸湿側通路Ｓ１に位置する状態と放湿側通路Ｓ２に位置する状態とに交互に切換えるように構成されている。
【００７４】
また、スライド駆動部Ｇは、各調湿体部分Ｈａの夫々に設けた複数の流体圧シリンダ１７の伸縮作動タイミングを制御することによって、４枚の調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残り２枚の調湿体部分Ｈａの一方を吸湿側通路に位置する状態から放湿側通路Ｓ２に位置する状態にスライド移動させ、かつ、他方を放湿側通路Ｓ２に位置する状態から吸湿側通路Ｓ１に位置する状態にスライド移動させる形態で、各調湿体部分Ｈａを吸湿側通路Ｓ１に位置する状態と放湿側通路Ｓ２に位置する状態とに交互に切換えるように構成されている（図１０参照）。
【００７５】
図１０は、第１調湿体部分ｈ１、第２調湿体部分ｈ２、第３調湿体部分ｈ３、及び、第４調湿体部分ｈ４について、時間経過に伴うスライド移動位置の変化を示す図である。
そして、図１０において、上死点とは、調湿体部分Ｈａが最も上方側にスライド移動した位置を示し、下死点とは、調湿体部分Ｈａが最も下方側にスライド移動した位置を示すものである。
また、図１０おけるＴ２は、図７で示す４枚の調湿体部分Ｈａの移動タイミングを示すものである。
【００７６】
そして、本実施形態においては、スライド駆動部Ｇが、各調湿体部分Ｈａを、吸湿側通路Ｓ１に位置する状態や放湿側通路Ｓ２に位置する状態において、停止させるように構成されている。
つまり、４枚以上の前記調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残りの調湿体部分Ｈａを吸湿側通路Ｓ１に位置する状態と放湿側通路Ｓ２に位置する状態との間でスライド移動させるにあたり、一枚の調湿体部分Ｈａを吸湿側通路Ｓ１に位置する状態に停止させ、且つ、他の一枚の調湿体部分Ｈａを放湿側通路Ｓ２に位置する状態に停止させておきながら、残りの調湿体部分Ｈａを吸湿側通路に位置する状態と放湿側通路に位置する状態との間でスライド移動させるようにすることができる等、調湿体部分のスライド移動を適切に行うことができる。
【００７７】
（第２実施形態のまとめ）
第２実施形態のデシカント調湿器は、第１実施形態と同様に、空気通流方向視において、ケーシングＫの内部の４角にも調湿体Ｈを存在させて、空気通流方向視において、ケーシングＫの内部の全体を除湿に寄与する空間として利用することができるため、調湿能力を確保しながらケーシングＫの小型化を図ることができる。
【００７８】
つまり、空気通流方向視において、ケーシングＫの内部の全体に亘る状態で調湿体Ｈを収納させて、空気通流方向視において、ケーシングＫの内部の全体を調湿用の空間として利用することができるため、所定の調湿能力を確保しながら、空気通流方向視におけるケーシングＫの小型化を図ることが可能となる。
【００７９】
また、調湿体部分Ｈａが４枚設けられて、４枚の調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残り２枚の調湿体部分Ｈａの一方を吸湿側通路Ｓ１に位置する状態から放湿側通路Ｓ２に位置する状態にスライド移動させ、かつ、他方を放湿側通路Ｓ２に位置する状態から吸湿側通路Ｓ１に位置する状態にスライド移動させる形態で、各調湿体部分Ｈａを吸湿側通路Ｓ１に位置する状態と放湿側通路Ｓ２に位置する状態とに交互に切換えるものであるから、吸湿側通路Ｓ１を通流する屋外気ＯＡから吸着した水分を、放湿側通路Ｓ２を通流する屋内気ＲＡに放出すること、つまり、水分移送を効率良く行い易い。
【００８０】
スライド駆動部Ｇが、調湿体部分Ｈａの夫々について各別に設けた流体圧シリンダ１７にて調湿体部分Ｈａを往復駆動するものであるから、４枚以上の前記調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残りの調湿体部分Ｈａを吸湿側通路Ｓ１に位置する状態と放湿側通路Ｓ２に位置する状態との間でスライド移動させるにあたり、一枚の調湿体部分Ｈａを吸湿側通路Ｓ１に位置する状態に停止させ、且つ、他の一枚の調湿体部分Ｈａを放湿側通路Ｓ２に位置する状態に停止させておきながら、残りの調湿体部分Ｈａを吸湿側通路Ｓ１に位置する状態と放湿側通路Ｓ２に位置する状態との間でスライド移動させるようにすることができる等、調湿体部分Ｈａのスライド移動を適切に行うことができる。
【００８１】
〔別実施形態〕
次に別実施形態を説明する。
（１）上記の第１実施形態及び第２実施形態では、デシカント除湿器が、屋外から屋内に取り入れる屋外気ＯＡを、吸湿対象空気とし、屋内から屋外に排出する屋内気ＲＡを、放湿対象空気として、屋外から屋内に取り入れる屋外気ＯＡを除湿する場合を例示したが、屋外から屋内に取り入れる屋外気ＯＡを、放湿対象空気とし、屋内から屋外に排出する屋内気ＲＡを、吸湿対象空気として、屋外から屋内に取り入れる屋外気ＯＡを加湿する形態で実施してもよい。
【００８２】
（２）上記の第１実施形態及び第２実施形態では、４枚の調湿体部分Ｈａを設ける場合を例示したが、３枚の調湿体部分Ｈａを設ける形態で実施してもよく、また、５枚以上の調湿体部分Ｈａを設ける形態で実施してもよい。
【００８３】
ちなみに、３枚の調湿体部分Ｈａを設ける場合においては、一枚の調湿体部分Ｈａを吸湿側通路Ｓ１に位置させ、かつ、他の一枚の調湿体部分Ｈａを放湿側通路Ｓ２に位置させるときに、残り１枚の調湿体部分Ｈａの一方を吸湿側通路Ｓ１に位置する状態から放湿側通路Ｓ２に位置する状態にスライド移動させ、次に、一枚の調湿体部分Ｈａを吸湿側通路Ｓ１に位置させ、かつ、他の一枚の調湿体部分Ｈａを放湿側通路Ｓ２に位置させるときに、残り一枚の調湿体部分Ｈａを放湿側通路Ｓ２に位置する状態から吸湿側通路Ｓ１に位置する状態にスライド移動させることを、繰り返す形態で、各調湿体部分Ｈａを吸湿側通路Ｓ１に位置する状態と放湿側通路Ｓ２に位置する状態とに交互に切換えることになる。
【００８４】
また、５枚以上の調湿体部分Ｈａを設ける場合においては、４枚の調湿体部分Ｈａを設ける場合と同様に、複数枚の調湿体部分Ｈａのうちの、一枚の調湿体部分Ｈａを吸湿側通路Ｓ１に位置させ、かつ、他の一枚の調湿体部分Ｈａを放湿側通路Ｓ２に位置させるときに、残り複数枚の調湿体部分Ｈａの一部を吸湿側通路Ｓ１に位置する状態から放湿側通路Ｓ２に位置する状態にスライド移動させ、かつ、残り複数枚の調湿体部分Ｈａの他部を放湿側通路Ｓ２に位置する状態から吸湿側通路Ｓ１に位置する状態にスライド移動させる形態で、各調湿体部分Ｈａを吸湿側通路Ｓ１に位置する状態と放湿側通路Ｓ２に位置する状態とに交互に切換えることになる。
【００８５】
尚、この形態の場合においては、吸湿側通路Ｓ１に位置する状態から放湿側通路Ｓ２に位置する状態にスライド移動させる調湿体部分Ｈａや、放湿側通路Ｓ２に位置する状態から吸湿側通路Ｓ１に位置する状態にスライド移動させる調湿体部分Ｈａが複数枚存在することになるから、それらの調湿体部分Ｈａのスライド方向での位置を異ならせる形態でスライド移動させることになる。
【００８６】
（３）上記の第１実施形態及び第２実施形態のデシカント調湿器において、屋外から屋内に取り入れられて調湿体Ｈを通過した後の屋外気ＯＡと、屋内から取り入れられて調湿体Ｈを通過する前の屋内気ＲＡとの間で熱交換する熱交換部を設けてもよく、そして、熱交換部として、上記の第１実施形態及び第２実施形態で記載した調湿体Ｈを用いるようにしてもよい。
【００８７】
（４）上記の第１実施形態及び第２実施形態では、吸湿側通路Ｓ１と放湿側通路Ｓ２とが、吸湿側通路Ｓ１を下方側に位置させる状態で上下に並置される場合を例示したが、吸湿側通路Ｓ１と放湿側通路Ｓ２とを、放湿側通路Ｓ２を下方側に位置させる状態で上下に並置してもよく、また、吸湿側通路Ｓ１と放湿側通路Ｓ２とを左右に並べる形態で並置してもよい。
（５）上記第１実施形態では、二重ラック欠歯車往復運動機構ＧＡを用いてスライド駆動部Ｇを構成し、上記第２実施形態では、流体圧シリンダ１７を用いてスライド駆動部Ｇを構成する場合を例示したが、スライド駆動部Ｇは、ラックピニオン機構等の各種の機械式機構を用いて構成することができる。
【００８８】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００８９】
１１      ラック体
１１Ａ    往動用ラック部
１１Ｂ    復動用ラック部
１７      流体圧シリンダ
Ｇ        スライド駆動部
ＧＡ      二重ラック欠歯車往復運動機構
Ｈ        調湿体
Ｈａ      調湿体部分
Ｋ        ケーシング
Ｓ１      吸湿側通路
Ｓ２      放湿側通路
【図１】
2016186412.tif 000003
【図２】
2016186412.tif 000004
【図３】
2016186412.tif 000005
【図４】
2016186412.tif 000006
【図５】
2016186412.tif 000007
【図６】
2016186412.tif 000008
【図７】
2016186412.tif 000009
【図８】
2016186412.tif 000010
【図９】
2016186412.tif 000011
【図１０】
2016186412.tif 000012